(57)【要約】【課題】紙面等に記載された文字、図形等を撮像する際に、確実に鮮明な画像を得ることができるようにする。【解決手段】ヒンジ部４と隣接して配され該ヒンジ部４と略同方向に延び、蓋部２と操作部３が展開した状態で、撮像軸１０ａが設定展開角θを二分する方向を指向する撮像部８とを備えた携帯用電子機器１において、蓋部２と操作部３の内面２ａ，３ａが下方となるように所定の平坦面Ｆに載置した際に、この平坦面Ｆと撮像部８の距離Ｄｒと、撮像部８の焦点距離Ｄｆとが略一致するよう構成した。【選択図】  図５
2004350232.tif 000002
【特許請求の範囲】
【請求項１】
所定方向へ延びるヒンジ部により回動自在に連結され、互いに内面を対向させた状態で折り畳み可能な第１筐体及び第２筐体と、
第１筐体と第２筐体の展開時に、各筐体のなす角が設定展開角となるようロックする筐体ロック機構と、
前記ヒンジ部と隣接して配され該ヒンジ部と略同方向に延び、第１筐体と第２筐体が展開した状態で、撮像軸が前記設定展開角を二分する方向を指向する撮像部と、を備えた携帯用電子機器において、
前記筐体ロック機構により前記第１筐体と第２筐体とをロックした状態で、第１筐体と第２筐体の内面が下方となるように所定の平坦面に載置した際に、この平坦面と撮像部の距離と、撮像部の焦点距離とが略一致するよう構成したことを特徴とする携帯用電子機器。
【請求項２】
前記撮像部は、延在方向を軸として回動自在に設けられたものであり、
前記第１筐体と第２筐体の内面が下方となるように所定の平坦面に載置した際に、前記撮像軸が略真下を指向するよう撮像部をロックする撮像ロック機構を設けたことを特徴とする請求項１に記載の携帯用電子機器。
【発明の詳細な説明】
【０００１】
【発明の属する技術分野】
本発明は、互いに折り畳み自在に構成された第１筐体及び第２筐体を備え、被写体を撮像する撮像部を有する携帯用電子機器に関するものである。
【０００２】
【従来の技術】
現在、携帯電話端末等のような携帯用電子機器においては、ヒンジ部を介して互いに折り畳み自在の第１筐体及び第２筐体を備えたものが主流となりつつある（例えば、特許文献１参照。）。この種の携帯用電子機器として、所定方向に延びるヒンジ部と連続的に、被写体を撮像する撮像部を配したものが知られている。
【０００３】
第１筐体と第２筐体とは、展開時に、筐体ロック機構により互いのなす角が設定展開角度となるようロックされる。また、撮像部の撮像軸は、各筐体の展開時に、各筐体の設定展開角度を略二分する方向を指向する。これにより、各筐体の展開時に、撮像部を用いて、電子機器外部の被写体を撮像することができるようになっている。
【０００４】
撮像部は略円筒形状のケース体と、このケース体の外面を通じて撮像する撮像装置とを有している。撮像部は、ヒンジ部の回動軸を中心として回動自在に構成される。これにより、使用者等は、各筐体を展開した状態で、撮像部を回動させて撮像軸を任意の方向へ移動させることができる。
【０００５】
【特許文献１】
特開２００２−１７１１８９号公報
【０００６】
【発明が解決しようとする課題】
ところで、前記携帯用電子機器では、例えば紙面に記載された文字、図形等を撮像する際に、使用者等は、撮像軸の焦点距離と、撮像部及び紙面の距離とが一致するよう見当をつけて携帯用電子機器を移動させ、撮像することとなる。
しかしながら、使用者等の感覚に頼って携帯用電子機器の位置が決定されるので、撮像軸の焦点距離を、撮像部及び紙面の距離と一致させることが極めて困難であった。これにより、撮像装置の焦点が紙面とずれた位置で撮像してしまい、得られた画像の文字、図形等が不鮮明になるという問題点があった。また、携帯用電子機器を把持した状態であるので、手ブレ等によっても、文字、図形等が不鮮明となるおそれもある。
【０００７】
本発明は、前記事情に鑑みてなされたものであり、その目的とするところは、紙面等に記載された文字、図形等を撮像する際に、確実に鮮明な画像を得ることができる携帯用電子機器を提供することにある。
【０００８】
【課題を解決するための手段】
前記目的を達成するため、請求項１記載の発明では、
所定方向へ延びるヒンジ部により回動自在に連結され、互いに内面を対向させた状態で折り畳み可能な第１筐体及び第２筐体と、
第１筐体と第２筐体の展開時に、各筐体のなす角が設定展開角となるようロックする筐体ロック機構と、
前記ヒンジ部と隣接して配され該ヒンジ部と略同方向に延び、第１筐体と第２筐体が展開した状態で、撮像軸が前記設定展開角を略等分する方向を指向する撮像部と、を備えた携帯用電子機器において、
前記筐体ロック機構により前記第１筐体と第２筐体とをロックした状態で、第１筐体と第２筐体の内面が下方となるように所定の平坦面に載置した際に、この平坦面と撮像部の距離と、撮像部の焦点距離とが略一致するよう構成したことを特徴とする。
【０００９】
請求項１記載の発明によれば、筐体ロック機構により第１筐体と第２筐体とをロックした状態で、第１筐体と第２筐体の内面が下方となるように所定の平坦面に載置した際に、この平坦面と撮像部の距離と、撮像部の焦点距離とが略一致するので、平坦面上の被写体を撮像部の焦点距離で的確に撮像することができる。
すなわち、この平坦面が文字、図形、二次元コード等が記載された紙面であれば、紙面の文字、図形、二次元コード等の鮮明な画像を取得することができる。このとき、電子機器は、平坦面に載置されており、静止した状態であるので、撮像時にブレ等を生じることもない。
【００１０】
請求項２に記載の発明では、請求項１に記載の携帯用電子機器において、
前記撮像部は、延在方向を軸として回動自在に設けられたものであり、
前記第１筐体と第２筐体の内面が下方となるように所定の平坦面に載置した際に、前記撮像軸が略真下を指向するよう撮像部をロックする撮像ロック機構を設けたことを特徴とする。
【００１１】
請求項２に記載の発明によれば、請求項１の作用に加え、平坦面への載置時に、撮像軸が略真下を指向するようロックされるので、撮像部を的確に平坦面の被写体方向へ指向させることができる。また、撮像軸が平坦面に対して略直交した向きとなるので、平坦面上の文字、図面等を正対した方向から撮像することができる。
【００１２】
【発明の実施の形態】
図１から図５は本発明の一実施形態を示すもので、図１（ａ）は蓋部及び操作部を展開した状態を示した正面外観図、（ｂ）は蓋部及び操作部が折り畳まれた状態を示した背面外観図、図２はヒンジ部の正面断面図、図３は撮像装置の外観斜視図、図４は撮像装置の正面断面図、図５は蓋部及び操作部を展開して平坦面に載置した状態を示す携帯電話端末の側面図である。
【００１３】
図１（ａ）に示すように、携帯用電子機器としての携帯電話端末１は、互いに折り畳み自在に構成された第１筐体としての蓋部２と、第２筐体としての操作部３とを有している。また、蓋部２と操作部３とはヒンジ部４を介して回動自在に接続されている。図１及び図２に示すように、ヒンジ部４は略円筒状に形成されており、ヒンジ部４内には、蓋部２及び操作部３を所定の設定展開角θにてロックするヒンジロック機構５が配設されている。
【００１４】
図１（ｂ）に示すように、蓋部２と操作部３とは、互いに内面２ａ，３ａを対向させた状態で折り畳まれる。蓋部２の内面２ａには表示部６が配され、操作部３の内面３ａには操作キー７が配される。これにより、蓋部２と操作部３とを展開した状態で、使用者等は、蓋部２の表示部６にて電子機器１の動作状態を認識するとともに、操作キー７による電子機器１の操作が可能となっている。
【００１５】
ヒンジ部４は、略円筒状に形成され、内部に筐体ロック機構としてのヒンジロック機構５が配される。本実施形態においては、ヒンジ部４は、蓋部２と一体成形された第１円筒部４ａと、操作部３と一体成形された第２円筒部４ｂとを有し、図１（ａ），（ｂ）に示すように、各円筒部４ａ，４ｂが直列的に配されている。
【００１６】
ヒンジロック機構５の一例を図２に示す。図２に示すように、ヒンジロック機構５は、第１円筒部４ａと第２円筒部４ｂの一方側に設けらればね７ａにより他方側へ付勢される第１円盤部材７ｂと、各円筒部４ａ，４ｂの他方側に設けられこの第１円盤部材７ｂと摺接する第２円盤部材７ｃとを有している。
【００１７】
第１円盤部材７ｂの他方側の面には、径方向に所定の間隔をおいて突起７ｂ１が形成され、第２円盤部材７ｃの一方の面には、径方向に所定の間隔をおいて凹部７ｃ１が形成されている。そして、突起７ｂ１が凹部７ｃ１に嵌り込むことにより、各円筒部４ａ，４ｂがロックされ、蓋部２と操作部３とが所定の角度でロックされる。本実施形態においては、蓋部２と操作部３とが折り畳まれた展開角度が約０°の状態と、蓋部２と操作部３とがほぼ最大の展開角となる約１６０°の状態とで、蓋部２と操作部３とがロックされる。すなわち、本実施形態においては、設定展開角θは約１６０°であり、ヒンジロック機構５により蓋部２と操作部３のなす角が約１６０°となるようにロックされる。
【００１８】
また、この携帯電話端末１では、図１（ａ），（ｂ）に示すように、ヒンジ部４に隣接して撮像部８が配される。この撮像部８は、略円筒形状を呈するケース体９と、ケース体９内に配される撮像装置１０とを有している。撮像装置１０の撮像軸１０ａは、図５に示すように、設定展開角θを二分する方向を指向する。また、撮像装置１０は、表示部６、操作キー７等とともに制御部（図示せず）に接続される。本実施形態においては、図１（ａ）に示すように、ケース体９はヒンジ部４に回動自在に接続され、ヒンジ部４と撮像部８とが直列的に配されている。
【００１９】
また、ヒンジ部４における第１円筒部４ａ及び第２円筒部４ｂと同様に、ヒンジ部４の第２円筒部４ｂとケース体９とを所定の角度で位置決めする撮像ロック機構（図示せず）が設けられている。この撮像ロック機構は、前述のヒンジロック機構５と同様の構成であるので、ここでは詳述しない。本実施形態においては、撮像部８が複数のロック角度にて位置決めされるようになっている。
【００２０】
図３及び図４に示すように、撮像装置１０は、一枚の基板ＰＣの一方の面上に光を感じるセンサとなる撮像素子１１と、この撮像素子１１に集光させるための光学部材１２と、この光学部材１２に入射する光の量を調節する絞り板１３と、撮像素子１１を覆い隠す鏡枠１４と、遮光性を有する遮光板１５と、遮光板１５に支持されるフィルタ１６と、光学部材を押圧する押圧部材１７と、光学部材１２の位置決めを行うための位置決め電気部品１８とを有している。以下、これらの撮像装置１０の各構成要素について説明する。
【００２１】
光学部材１２は、透明なプラスチック材料を素材とし、図４に示すように、管状の脚部１２ａと、この脚部１２ａに支持される凸レンズ形状のレンズ部１２ｂとが一体的に形成されている。
また、光学部材１２のレンズ部１２ａの上部には、遮光性のある素材からなり、凸レンズ部１２ａの絞り値（Ｆ値）を規定する第１の絞りとしての開口１３ａを有する絞り板１３が接着剤Ｂにより固定されている。
【００２２】
光学部材１２の外側には、遮光性のある素材からなる外枠部材としての鏡枠１４が配置されている。鏡枠１４には、図３及び図４に示すように、角柱状の下部１４ａと、円筒状の上部１４ｂとが設けられている。下部１４ａの下端部は、基板ＰＣ上に鏡枠１４が取り付けられる際に、接着剤Ｂにより固着される。
【００２３】
一方、鏡枠１４の上部１４ｂの上端には、遮光板１５が接着剤Ｂにより取り付けられている。遮光板１５は、その中央に第２の絞りとしての開口１５ａを有している。遮光板１５の中央の開口１５ａの下方に、赤外線吸収特性を有する素材からなるフィルタ１６が接着剤Ｂにより接合されている。
【００２４】
そして、この遮光板１５とフィルタ１６とでカバー部材を構成する。このように、基板ＰＣと鏡枠１４とカバー部材とが密着し接合しているので、撮像装置１０は、防塵、防湿の構造を有する。
【００２５】
図４において、光学部材１２と、遮光板１５との間には、例えば、コイルばねなどの弾性部材により構成された押圧部材１７が配置されている。遮光板１５が鏡枠１４に取り付けられることで、遮光板１５が押圧部材１７を押圧して、押圧部材１７が弾性変形する。この押圧部材１７は、光学部材１２を図４中、下方に向かって所定の押圧力により押圧して、光学部材１２を撮像素子１１に付勢する。ここで、遮光板１５から下方の撮像素子１１に向かう力が加わった際、押圧部材１７が弾性変形することにより、その力を吸収する緩衝作用が働くので、その力は直接撮像素子１１には伝達されず、撮像素子１１が破損することを防ぐ効果がある。
【００２６】
撮像素子１１は、ＣＭＯＳ型イメージセンサからなる。矩形薄板状の撮像素子１１の下面は、基板ＰＣの上面に取り付けられている。撮像素子１１の上面中央には、画素が２次元的に配列された光電変換部１２ａが形成されている。その外側に処理部（図示しない）が形成されており、処理部の外縁近傍には、複数のパッド（図示しない）が配置されている。結線用端子であるパッドは、図３に示すように、ワイヤＷを介して基板ＰＣに接続されている。ワイヤＷは、基板ＰＣ上の所定の回路に接続されている。
【００２７】
本実施形態の携帯電話端末１は、以上のように構成された撮像装置１０を備え、図５に示すように、ヒンジロック機構５により蓋部２と操作部３とをロックした状態で、蓋部２と操作部３の内面２ａ，３ａが下方となるように、携帯電話端末１を所定の平坦面Ｆに載置した際に、この平坦面Ｆと撮像部８の距離Ｄｒと、撮像装置１０の焦点距離Ｄｆとが略一致するよう構成される。尚、本実施形態においては、焦点距離Ｄｆは撮像装置１０固有の値であり一定である。
【００２８】
また、撮像ロック機構は、蓋部２と操作部３の内面２ａ，３ａが下方となるように、携帯電話端末１を所定の平坦面Ｆに載置した際に、撮像軸１０ａが略真下を指向するよう撮像部８をロックする。本実施形態においては、蓋部２と操作部３はほぼ同じ大きさであるので、図５に示すように、設定展開角θを略等分する方向にロックするようになっている。
【００２９】
以上のように構成された携帯電話端末１では、ヒンジロック機構５により蓋部２と操作部３とをロックした状態で、蓋部２と操作部３の内面２ａ，３ａが下方となるように所定の平坦面Ｆに載置した際に、この平坦面Ｆと撮像部８の距離Ｄｒと、撮像部８の焦点距離Ｄｆとが略一致するので、平坦面Ｆ上の被写体を撮像部８の焦点距離Ｄｆで的確に撮像することができる。
【００３０】
すなわち、この平坦面Ｆが文字、図形、二次元コード等が記載された紙面であれば、紙面の文字、図形等の鮮明な画像を取得することができる。このとき、携帯電話端末１は、平坦面Ｆに載置されており、静止した状態であるので、撮像時にブレ等を生じることもない。
【００３１】
また、携帯電話端末１の平坦面Ｆへの載置時に、撮像軸１０ａが略真下を指向するようロックされるので、撮像部８を的確に平坦面Ｆの被写体方向へ指向させることができる。また、撮像軸１０ａが平坦面Ｆに対して略直交した向きとなるので、平坦面Ｆ上の文字、図面、二次元コード等を正対した方向から撮像することができる。
【００３２】
このように、本実施形態の携帯電話端末１によれば、紙面等に記載された文字、図形、二次元コード等を撮像する際に、撮像部８の焦点距離Ｄｆと、撮像部８及び紙面等との距離Ｄｒを的確に略一致させることができる。これにより、撮像部８により紙面等に記載された文字、図形、二次元コードの鮮明な画像を取得することができる。
【００３３】
また、携帯電話端末１が平坦面Ｆ上にて静止した状態で撮像することとなるので、撮像時にブレ等を生ずることもなく、これによっても、鮮明な画像を取得することができる。
【００３４】
また、撮像時に撮像ロック装置により、回動自在の撮像部８を、撮像軸１０ａが略真下となるようロックすることにより、撮像軸１０ａを略真下へ確実に指向することができる。これにより、撮像部８が回動自在であっても、確実に撮像軸１０ａの方向を、平坦面Ｆに略直交する方向とすることができ、取得される画像が斜視状態となることはなく、実用に際して極めて便利である。
【００３５】
尚、前記実施形態においては、携帯用電子機器として携帯電話端末１に本発明を適用したものを示したが、例えば、ＰＤＡ、パーソナルコンピュータ等のような他の携帯用電子機器に本発明が適用可能なことは勿論である。
【００３６】
また、前記実施形態においては、撮像部８の焦点距離Ｄｆが一定のものを示したが、焦点距離Ｄｆが多段階に変更可能なものであってもよい。この場合、例えば、マクロ撮影モード、通常撮影モード等に応じて焦点距離Ｄｆが変化するのであれば、撮像部における最短の焦点距離と、平坦面Ｆと撮像部の距離とが略一致するようにするとよい。
【００３７】
また、前記実施形態においては、撮像部８が回動自在のものを示したが、撮像部８が固定的に設置されているものであってもよい。
【００３８】
図６から図８は本発明の変形例を示すもので、図６は携帯電話端末の概略ブロック図、図７は撮像装置の正面断面図、図８は制御部の動作状態のフローチャートである。尚、この携帯電話端末は、前記実施形態のものと撮像装置及び制御部の構成を異にしており、他の構成は前記実施形態のものと同様である。以下、この携帯電話端末の撮像装置、制御部の構成及び動作について説明する。
【００３９】
図６に示すように、携帯電話端末１は、制御部１００、操作キー７、表示部６、アンテナを有する無線通信部１０１、記憶部１０２、撮像装置１１０、電源制御部１０３、送受話部１０４等を備えて構成され、各部はバス１０５により接続されている。
【００４０】
制御部１００は、ＣＰＵ（Ｃｅｎｔｒａｌ  Ｐｒｏｃｅｓｓｉｎｇ  Ｕｎｉｔ）１１１ａ、揮発性の半導体メモリで構成されるＲＡＭ（Ｒａｎｄｏｍ  Ａｃｃｅｓｓ  Ｍｅｍｏｒｙ）１１１ｂ、不揮発性の半導体メモリで構成されるＲＯＭ（Ｒｅａｄ  Ｏｎｌｙ  Ｍｅｍｏｒｙ）１１１ｃ等から構成されている。
【００４１】
ＲＯＭ１１１ｃには、図示しない、携帯電話端末１の基本動作制御プログラム、通信処理プログラム、表示部６に表示するための表示用データ、撮像に関するパラメータデータ（自動撮像用のデフォルトの設定データ、プレビュー表示処理用のデフォルトの設定データ）等の他、撮像制御プログラムｃ１、コード認識プログラムｃ２、コード認識用データｃ３が記憶されている。ここで、コード認識用データｃ３は、画像データに情報コードとしての二次元コードが含まれているかを判断するためのコード類似性係数（Ｑ）を設定する際の基準データである。
【００４２】
ＣＰＵ１１１ａは、操作キー７から入力される各種指示又は無線通信部１０１から入力されるデータに従って、ＲＯＭ１１１ｃに記憶されている各種プログラムの中から指定されたプログラムをＲＡＭ１１１ｂのワークエリアに展開し、この入力指示及び入力データにより上記プログラムに従って各種処理を実行する。そして、ＣＰＵ１１１ａは、その処理結果をＲＡＭ１１１ｂの所定の領域に格納するとともに、表示部６に表示させる。
【００４３】
具体的に、ＣＰＵ１１１ａは、ＲＯＭ１１１ｃに記憶される撮像制御プログラムｃ１を読み出して、後述する撮像制御処理を実行する。
撮像制御処理として、ＣＰＵ１１１ａは、操作キー７から入力される使用者の操作指示等に従って、撮像装置１１０を制御して、撮像させた撮像画像データをＲＡＭ１１１ｂに所定のメモリ等に格納した上で、フレームレート２５ｆｐｓで、表示部６にプレビュー表示させる。
また、ＣＰＵ１１１ａは、コード認識手段として、コード認識プログラムｃ２に従って、撮像画像データに対して二次元コードである可能性のある二次元コード対象を認識するコード処理を実行する。具体的に、ＣＰＵ１１１ａは、５フレーム毎に、撮像画像データと、コード認識用データｃ３とを対照することにより、撮像画像データに二次元コードが含まれているか否かの判断を実行する。より具体的には、ＣＰＵ１１１ａは、類似性係数算出手段として、撮像画像データと、類似性係数算定用情報としてのコード認識用データｃ３とを対照することにより、二次元コード対象にコード類似性係数を算出し、このコード類似性係数の値に基づいて、二次元コードである可能性のある二次元コード対象（情報コード対象）や二次元コードを認識する。
【００４４】
更に、ＣＰＵ１１１ａは、切換制御手段として、コード類似性係数が、コードを含んでいる可能性があるが、決定的でない数値であると判断した二次元コード対象がある場合、撮像装置１１０により第１の撮像モードとしての通常撮像モードから第２の撮像モードとしてのマクロ撮像モードによる撮像処理を行うように切換制御処理する。ここで、通常撮像モードとは、被写界深度が１メートル〜∞であり、マクロ撮像モードとは、被写界深度が数センチメートル〜∞であり、通常撮像モードより焦点距離が短く、被写体までの距離が短い場合の撮像に適している。
【００４５】
また、ＣＰＵ１１１ａは、撮像画像データ中に二次元コードを認識した場合には、解読手段として、二次元コードのデコード処理するとともに、表示制御手段として、表示部６に表示させる。
また、ＣＰＵ１１１ａは、実行手段として、デコード処理を行った情報コードの情報に基づく動作を実行する。
【００４６】
操作キー７は、テンキー、各種機能キー、通話モード及びカメラモードの切換えを行うモード切換キー等を備えており、撮像処理の実施指示の入力等に用いられる。
【００４７】
表示部６は、ＬＣＤ（Ｌｉｑｕｉｄ  Ｃｒｙｓｔａｌ  Ｄｉｓｐｌａｙ）パネル等により構成され、制御部１００から入力される表示データに基づいて画面表示を行う。また、表示部６は、後述する撮像装置１１０によってプレビュー撮像された画像や、制御部１００により復号（デコード）されたコード情報内容等を表示する。
【００４８】
無線通信部１０１は、無線基地局（図示せず）との間で着信や発信等に係る無線信号の送受信を行うアンテナを備え、制御部１００から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００４９】
記憶部１０２は、制御部１００により実行された処理結果のデータ等を記憶する。例えば、記憶部１０２は、撮像装置１１０により撮像された画像のデータ、無線通信部１０１を介して送受信したメールのデータ、通話履歴のデータ等を記憶する。
【００５０】
撮像装置１１０は、ガラス又はプラスチックからなる光学レンズ（後述の第１光学部材１３１、第２光学部材１３２）、及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子（後述の第１撮像素子１２１、第２撮像素子１２２）により構成され、光学レンズを介して入力される画像を撮像素子で電気信号に変換して、画像データを生成する。また、ＣＣＤやＣＭＯＳは、周囲の光量を検出する光学センサとしての機能を有し、周囲の光量に応じた検出信号を制御部１００に出力する。
また、撮像装置１１０は、制御部１００の制御に基づいて、通常撮像モードと、マクロ撮像モードとによる撮像処理が実行可能に構成されている。
【００５１】
具体的に、撮像装置１１０は、図７に示すように、一枚の基板ＰＣの一方の面上に設けられ、光を感じるセンサとなる通常撮像モード用の第１撮像素子１２１、及びマクロ撮像モード用の第２撮像素子１２２、この第１撮像素子１２１に集光させるための通常撮像モード用の第１光学部材１３１、第２撮像素子１２２に集光させるためのマクロ撮像モード用の第２光学部材１３２、第１光学部材１３１に入射する光の量を調節する絞り板１４１、第２光学部材３２に入射する光の量を調節する絞り板１４２、第１撮像素子１２１及び第２撮像素子１２２を覆い隠す外枠部材としての鏡枠１５０、遮光性を有する遮光板１６０、遮光板１６０に支持されるフィルタ１７１、１７２、各光学部材１３１，１３２を押圧する押圧部材１８１、１８２、各光学部材１３１，１３２の位置決めを行うための位置決め電気部品１９１，１９２等を備えている。尚、撮像装置１１０は、前記実施形態のものと比較して、通常撮影モード用の部材等と、マクロ撮影モード用の部材等とを、それぞれ別個に有している点で異なっている。尚、各部材等は前記実施形態と同様であるので、前記実施形態と異なる特徴のみ説明する。
【００５２】
本実施形態においては、脚部１３１ａ，１３２ａのレンズ部１３１ｂ，１３２ｂは、互いに異なる径とされ、図７においては、レンズ部１３１ｂが大径、レンズ部１３２ｂが小径とされている。そして、レンズ部１３２ｂは、マクロ撮像モードにおける撮像処理に用いられるために、レンズ部１３１ｂと異なる焦点距離を有している。尚、これらの光学部材１３１，１３２を小型の携帯電話端末１等に内蔵させるには、光軸方向の高さが１５ｍｍ以下であることが好ましい。
ここで、開口１４２ａは、マクロ撮像モード用に、通常撮像モード用の開口１４１ａよりも開口面積が小さく形成されている。
そして、レンズ部１３２ｂと第２撮像素子１２２との距離や、絞り板１４２の絞り値等により、例えば、被写界深度が、数センチメートル〜∞となるように構成され、マクロ撮像モード用の焦点距離（第２の焦点距離）が設定されるようになっている。
尚、レンズ部１３２ｂと、第２撮像素子１２２との距離、絞り板１４２の絞り値等の何れか一の要素によって、マクロ撮像が可能な焦点距離（第２の焦点距離）に設定可能な構成であってもよい。
【００５３】
鏡枠１５０は、四角柱状に形成され、そのうち対向する二つの内側面には、水平方向に沿って各光学部材１３１，１３２を支持する支持部１５１，１５２が一体に形成され、長尺側の両端部が他の対向する二つの内側面に当接されている。さらに、他の対向する二つの内側面にわたって設けられ、鏡枠１５０内の空間を二分する間仕切壁１５３が支持部１５１，１５２とほぼ平行に設けられ、長尺側の両端部が他の対向する二つの内側面に当接されている。
【００５４】
間仕切壁１５３は、隣接する第１光学部材１３１と第２光学部材１３２との間（第１撮像素子１２１と第２撮像素子１２２との間）を仕切り、第１光学部材１３１（第２光学部材１３２）を通過した光が第２撮像素子１２２（第１撮像素子１２１）へ入射しないようにするものである。また、間仕切壁１５３には、支持部１５１，１５２と同じ高さに各光学部材１３１，１３２の他端部を支持する支持部１５４，１５５が一体に形成されている。すなわち、支持部１５１及び支持部１５４で第１光学部材１３１を支持し、支持部１５２及び支持部１５５で第２光学部材１３２を支持している。
また、間仕切壁１５３の下端部は、例えば、コンデンサＣの上面に当接しており、図示しない電気配線等に接触しないように工夫が施されている。
【００５５】
電源制御部１０３は、例えば、リチウム電池、ニッケル電池、ニカド電池等の２次電池により構成され、電源が投入されると、制御部１００の制御に応じて、プラス側の端子及びマイナス側の端子から、携帯電話端末１の各部を駆動する駆動回路に所定電圧の電源を供給する。
【００５６】
送受話部１０４は、マイク、スピーカ、Ａ／Ｄ変換部、及びＤ／Ａ変換部（何れも図示せず）を有し、マイクから入力される使用者の送話音声をＡ／Ｄ変換処理して、その送話音声データをＣＰＵ１１１ａに出力するとともに、ＣＰＵ１１１ａから入力される受話音声データや、着信音、操作確認音、シャッタ音等の音声データをＤ／Ａ変換処理して、スピーカから出力する。
【００５７】
以下、図８のフローチャートを参照して、携帯電話端末１における撮像制御処理について説明する。
【００５８】
携帯電話端末１の使用者によって、操作キー７の所定のボタンが押圧されることにより、ＣＰＵ１１１ａは、撮像処理の指示の入力であると判断し、ＲＯＭ１１１ｃに記憶されている撮像制御プログラムｃ１を読み出してＲＡＭ１１１ｂに展開し、該撮像制御プログラムｃ１に従って、撮像処理の制御を開始する。
このとき、使用者は、携帯電話端末１の撮像装置１１０を被写体に向けることにより、図５に示すような、被写体（二次元コードのようなもの）を撮像することとする。
【００５９】
そして、ＣＰＵ１１１ａは、具体的には、ＲＡＭ１１１ｂに格納されている画像データのフレームのカウント数を０（Ｎ＝０）にリセットし（ステップＳ１０１）、通常撮像モードによる撮像処理の開始指示を撮像装置１１０に出力する。
【００６０】
すると、撮像装置１１０は、通常撮像モードにおける撮像処理として、第１光学部材１３１により集光され、第１撮像素子１２１の光電変換部１２１ａに結像された被写体の撮像画像データを順次、制御部１００に出力する（ステップＳ１０２）。
【００６１】
すると、制御部１００のＣＰＵ１１１ａは、撮像装置１１０より順次入力される撮像画像データを、ＲＡＭ１１１ｂに格納するとともに、この撮像画像をフレームレート２５ｆｐｓで表示部６に表示させるプレビュー表示処理を実行する（ステップＳ１０３）。また、ＣＰＵ１１１ａは、プレビュー表示処理の実行と平行して、撮像装置１１０から入力される画像のフレーム数をカウント（Ｎ＝Ｎ＋１）し（ステップＳ１０４）、フレーム数が「５」であるかを判断する（ステップＳ１０５）。
そして、ＣＰＵ１１１ａは、フレーム数が「５」であると判断した場合（ステップＳ１０５：Ｙｅｓ）には、ステップＳ１０６に移行し、フレーム数が５でないと判断した場合（ステップＳ１０５：Ｎｏ）には、ステップＳ１０２に移行し、以降の工程を繰り返す。
【００６２】
次いで、ステップＳ１０６〜ステップＳ１０８において、ＣＰＵ１１１ａは、ＲＯＭ１１１ｃに記憶されているコード認識プログラムｃ２を読み出してＲＡＭ１１１ｂに展開し、このコード認識プログラムｃ２に従って、コード認識処理の制御を開始する。具体的に、ＣＰＵ１１１ａは、フレーム数が「５」となったときの被写体の撮像画像データと、コード認識用データｃ３とを比較対照することにより、二次元コードの認識処理を実行する。
【００６３】
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００６４】
具体的に、ＣＰＵ１１１ａは、ステップＳ１０６において、撮像画像データと類似性係数算定情報としてのコード認識用データｃ３と比較することにより、該撮像画像データの二次元コードである可能性を判断するためのコード類似性係数（Ｑ）を算出する。
【００６５】
次いで、ＣＰＵ１１１ａは、算出されたコード類似性係数（Ｑ）の値が、「０．５」以上であるか否かを判断し（ステップＳ１０７）、Ｑは「０．５」以上であると判断した場合（ステップＳ１０７：Ｙｅｓ）には、所定の二次元コードの可能性があると判断する。
一方、ＣＰＵ１１１ａは、算出されたコード類似性係数（Ｑ）が０．５未満であると判断した場合（ステップＳ１０７：Ｎｏ）には、二次元コードである可能性が少ないと判断し、フレームのカウントを０にリセット設定した（ステップ１０９）上で、ステップＳ１０２に移行し、以降の工程であるプレビュー表示処理と５フレーム毎のコード認識処理を繰り返す。
このように、ＣＰＵ１１１ａは、５フレーム毎に、被写体の撮像画像データに対し、二次元コードの認識処理を実行する。従って、ＣＰＵ１１１ａの処理負荷が低減されることとなって、平行して実行する被写体の撮像画像データの取得処理及び該撮像画像データのプレビュー表示処理への影響を軽減することができる。
【００６６】
ステップＳ１０８において、ＣＰＵ１１１ａは、コード類似性係数（Ｑ）が、「１」であるか否かを判断し、「１」であると判断した場合（ステップＳ１０８：Ｙｅｓ）には、二次元コードであると判断してステップＳ１１０に移行する。
一方、ＣＰＵ１１１ａは、コード類似性係数（Ｑ）が、「０．５」以上であるが「１」ではないと判断した場合（ステップＳ１０８：Ｎｏ）には、二次元コード対象（情報コード対象）であると認識する。そして、ＣＰＵ１１１ａは、撮像装置１１０にマクロ撮像を実行するようにマクロ撮像モード設定処理を実行し（ステップＳ１１１）、ステップＳ１０９に移行する。
そして以降の工程で、マクロ撮像モードにおける撮像処理として、ＣＰＵ１１１ａの制御により、撮像装置１１０の第２光学部材３２と第２撮像素子２２を用いて被写体の撮像画像データが取得され、表示部６にプレビュー表示される。また、ＣＰＵ１１１ａは、このマクロ撮像モードにおける撮像処理、プレビュー表示処理と平行して、マクロ撮像モードによる撮像画像データに対し、５フレーム毎のコード認識処理を実行する。このとき、マクロ撮像モードにおける撮像処理は、通常撮像モードにおける撮像処理に比べて、焦点距離が短いので、二次元コードの認識率が向上することとなり、通常撮像モードおいて二次元コードとしての可能性があるが確定ではないものとしての二次元コード対象が二次元コードとして認識される可能性が高くなる。これに伴って、被写体の撮像画像データにおける二次元コードの認識率が向上する。
【００６７】
ステップＳ１１０において、ＣＰＵ１１１ａは、認識された二次元コードのデコード処理を実行し、その二次元コードのコード情報内容を表示部６に表示させる（ステップＳ１１２）。
ここで、表示部６に表示されるコード情報内容としては、例えば、ＵＲＬアドレス、電子メールアドレス等の文字情報や、任意の画像情報等である。
尚、コード情報内容としての文字情報、画像情報等の表示部６に表示可能な内容の他、例えば、コード情報内容が音声情報である場合、送受話部１０４から放音処理を実行する構成であってもよい。
【００６８】
次いで、ＣＰＵ１１１ａは、使用者による操作キー７の操作により、表示部６に表示されたコード情報内容に対する所定の処理の指示信号が入力されたか否かを判断し（ステップＳ１１３）、指示信号が入力されたと判断した場合（ステップＳ１１３：Ｙｅｓ）には、該指示に応じた処理を実行（ステップＳ１１４）してステップＳ１１５に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部６の表示画像の保存指示等であるが、これらに限定されるものではない。
【００６９】
一方、ＣＰＵ１１１ａは、ステップＳ１１３において、使用者からの指示信号の入力がないと判断した場合（ステップＳ１１３：Ｎｏ）、ステップＳ１１５に移行する。
そして、ステップＳ１１５において、ＣＰＵ１１１ａは、使用者の操作キー７の操作により、撮像処理の終了指示が入力されたか否かを判断し、入力されたと判断した場合には、撮像装置１１０に撮像処理の終了指示を出力することにより、本撮像制御処理を終了する。
一方、ＣＰＵ１１１ａは、撮像処理の終了指示の入力がないと判断した場合（ステップＳ１１５：Ｎｏ）は、ステップＳ１０９に移行し、以降の工程を繰り返す。
【００７０】
このように撮像制御処理を行うことにより、例えば、通常撮像モードによる撮像画像データのピントがぼけていたり、ノイズが多く含まれていることにより、二次元コードと明確に認識することができない場合であっても、その可能性がある場合には、二次元コードの認識に適したマクロ撮像モードによる撮像処理に自動的に切り換わるように撮像装置１１０が制御される。
【００７１】
従って、使用者に、撮像モードの設定変更の手間を課すことなく、携帯電話端末１を平坦面Ｆに載置した際に、自動的に撮影モードをマクロ撮影モードに切り換えることができる。このとき、マクロ撮影モードの焦点距離と、撮像部８と平坦面Ｆまでの距離とが略一致するので、鮮明な画像を取得することができ、二次元コードの認識精度を高めることができる。
【００７２】
また、撮像装置１１０による被写体の撮像画像データの取得処理、及びその撮像画像データのプレビュー表示処理と平行して、該撮像画像データ中の所定の二次元コードデータの認識処理、及び二次元コードデータのデコード処理が自動的に実行される。従って、使用者は、例えば、名刺や雑誌等に付けられている二次元コードを認識、解読するために面倒な設定をしなくとも通常の撮像処理の場合と同操作をすることで、自動的に二次元コードの読取、解読を行えなえることとなるので、大変使い勝手が良い。
【００７３】
また、通常撮像モードによる撮像画像データに二次元コードが含まれている可能性が少ない場合や、明確に二次元コードが認識できた場合には、撮像モードが切り換わらないので、効率的である。
【００７４】
尚、この変形例の制御部１００はあくまで一例であり、制御部の構成は本発明の目的を達成する範囲内で任意であるし、その他、具体的な細部構造等についても適宜に変更可能であることは勿論である。
【００７５】
【発明の効果】
以上詳述したように、請求項１に記載の発明によれば、
紙面等に記載された文字、図形、二次元コード等を撮像する際に、撮像部の焦点距離と、撮像部及び紙面等との距離を的確に略一致させることができる。これにより、撮像部により紙面等に記載された文字、図形、二次元コードの鮮明な画像を取得することができる。
また、携帯用電子機器が平坦面上にて静止した状態で撮像することとなるので、撮像時にブレ等を生ずることもなく、これによっても、鮮明な画像を取得することができる。
【００７６】
請求項２に記載の発明によれば、請求項１の効果に加え、撮像時に撮像ロック装置により、回動自在の撮像部を、撮像軸が略真下となるようロックすることにより、撮像軸を略真下へ確実に指向することができる。これにより、撮像部が回動自在であっても、確実に撮像軸の方向を、平坦面に略直交する方向とすることができ、取得される画像が斜視状態となることはなく、実用に際して極めて便利である。
【図面の簡単な説明】
【図１】本発明の一実施形態を示す携帯電話端末の外観図であり、（ａ）は蓋部及び操作部を展開した状態を示した正面図、（ｂ）は蓋部及び操作部が折り畳まれた状態を示した背面図である。
【図２】ヒンジ部の正面断面図である。
【図３】撮像装置の外観斜視図である。
【図４】撮像装置の正面断面図である。
【図５】蓋部及び操作部を展開して平坦面に載置した状態を示す携帯電話端末の側面図である。
【図６】変形例を示す携帯電話端末の概略ブロック図である。
【図７】変形例を示す撮像装置の正面断面図である。
【図８】変形例を示す制御部の動作状態のフローチャートである。
【符号の説明】
１          携帯電話端末
２          蓋部
２ａ        内面
３          操作部
３ａ        内面
４          ヒンジ部
５          ヒンジロック機構
８          撮像部
１０ａ      撮像軸
Ｄｆ        焦点距離
Ｄｒ        撮像部と平坦面との距離
Ｆ          平坦面
θ          設定展開角
【図１】
2004350232.tif 000003
【図２】
2004350232.tif 000004
【図３】
2004350232.tif 000005
【図４】
2004350232.tif 000006
【図５】
2004350232.tif 000007
【図６】
2004350232.tif 000008
【図７】
2004350232.tif 000009
【図８】
2004350232.tif 000010